(57)【要約】【課題】浴室等の床面全体に容易に畳を敷設することができるとともに傷んだ畳表を取り替えるといったメンテナンスを簡単に行うことが可能な畳敷床構造を提供することを目的とするものである。【解決手段】浴室の洗い場２の敷設面に複数の畳芯材１１を敷き詰め、その周囲にベース部材１３を配置する。ベース部材１３の中央部には全長にわたって壁部が立設されており、畳芯材１１の側面に壁部が密着している。各畳芯材１１の表面をそれぞれ畳表１２で被覆してその両端部をベース部材１３に形成された係合溝に挿し込み、さらにカバー部材１６の係合部を挿し込んで固定する。カバー部材１６の畳縁部が畳芯材１１の境目を覆い隠し、全体として従来の畳敷床構造と同様の外観を呈する。【選択図】図２
2007314967.tif 000002
【特許請求の範囲】
【請求項１】
敷設面に配列された複数の耐水性畳芯材と、前記畳芯材の表面全体をそれぞれ覆う複数の耐水性畳表と、前記敷設面と前記畳芯材との間に配設された足部を備えるとともに前記畳芯材の側面に沿って帯状に立設され全長にわたって係合溝が形成された壁部を備えたベース部材と、前記ベース部材の係合溝に上方から挿着される係合部が突設されるとともに前記畳芯材の縁部を覆う帯状の畳縁部を備えたカバー部材とを備え、前記畳表の両端部が前記カバー部材とともに前記ベース部材の係合溝に圧入されて固定されていることを特徴とする畳敷床構造。
【請求項２】
敷設面の端縁に配設された前記カバー部材は、壁面に密着する帯状の被覆部が延設されていることを特徴とする請求項１に記載の畳敷床構造。
【請求項３】
敷設面の排水側の端縁に配設された前記ベース部材は、複数の排水孔が形成された帯状の排水部が上端に延設されていることを特徴とする請求項１又は２に記載の畳敷床構造。
【発明の詳細な説明】
【技術分野】
【０００１】
本発明は、浴室や洗い場等の床面に敷設する畳敷床構造に関する。
【背景技術】
【０００２】
従来より浴室等の水を使用する施設においては、床面にタイルや敷石を敷き詰めて構成しているが、こうしたタイル面や敷石面では水や付着物により表面が滑りやすく転びやすくなっており、また冬場には冷却されて素足で歩くのに苦痛となる欠点がある。そのため、発泡樹脂を用いたバスマットやスノコ状の目皿を用いられているが、耐水性のある畳を敷き詰めることも提案されている。
【０００３】
例えば、特許文献１では、発泡合成樹脂から成る中芯層を挟んで、一番下の接床面には下面に浮し部を有する通水プレートを配置する一方、中芯層の上には表側通水プレートと防黴シートとを敷設し、かつ、その表面を合成繊維ラッシュから成る畳表にて被覆することにより畳本体と成し、さらに畳本体の前記ラッシュに直交する側縁部には、畳縁チャンネル部材を着脱自在に嵌着した高耐水畳が記載されている。また、特許文献２では、ゴム片が接着成分により三次元的に結合されてなる板状の基体部と、基体部の裏面の少なくとも一部が露出するように配設され且つ透水性を有する表層部と、基体部と表層部との間に配設された不織布と、縁部に糸により縫着された縁布とを備えた本床敷材が記載されている。
【特許文献１】特開２００４−８４１９８号公報
【特許文献２】登録実用新案第３１０７３８９号公報
【発明の開示】
【発明が解決しようとする課題】
【０００４】
上述した先行文献では、浴室等に耐水性のある畳を敷き詰めることが記載されているが、一般に浴室は通常の和室のように規格化されて設計されていないため、畳をそのまま敷き詰めることができず、畳が敷くことができない部分には畳をその部分に合せて切断して敷き詰めなければならない。切断した畳には改めて畳縁を取り付ける必要があり、非常に手間がかかる。
【０００５】
そこで、本発明は、浴室等の床面全体に容易に畳を敷設することができるとともに傷んだ畳表を取り替えるといったメンテナンスを簡単に行うことが可能な畳敷床構造を提供することを目的とするものである。
【課題を解決するための手段】
【０００６】
本発明に係る畳敷床構造は、敷設面に配列された複数の耐水性畳芯材と、前記畳芯材の表面全体をそれぞれ覆う複数の耐水性畳表と、前記敷設面と前記畳芯材との間に配設された足部を備えるとともに前記畳芯材の側面に沿って帯状に立設され全長にわたって係合溝が形成された壁部を備えたベース部材と、前記ベース部材の係合溝に上方から挿着される係合部が突設されるとともに前記畳芯材の縁部を覆う帯状の畳縁部を備えたカバー部材とを備え、前記畳表の両端部が前記カバー部材とともに前記ベース部材の係合溝に圧入されて固定されていることを特徴とする。さらに、敷設面の端縁に配設された前記カバー部材は、壁面に密着する帯状の被覆部が延設されていることを特徴とする。さらに、敷設面の排水側の端縁に配設された前記ベース部材は、複数の排水孔が形成された帯状の排水部が上端に延設されていることを特徴とする。
【発明の効果】
【０００７】
本発明は、上記の構成を備えることで、耐水性畳芯材の表面を覆う耐水性畳表をベース部材及びカバー部材で固定するようにしているので、畳芯材を浴室等の敷設面の形状に合せて切断して敷き詰めるとともに敷き詰められた畳芯材に合せて畳表を切断して固定すれば、敷設面に合せて畳を容易に敷き詰めることができる。
【０００８】
また、ベース部材を畳芯材の側面に沿って配設してベース部材の係合溝に畳表の両端部をカバー部材の係合部とともに圧入して畳表を固定するようにしているので、ワンタッチで畳表を固定することができるとともに畳表を従来の畳と同様に張設することが可能となる。そして、カバー部材には畳芯材の縁部を覆う帯状の畳縁部が設けられているため、外観上従来の畳と違和感のない畳敷床構造とすることができる。
【０００９】
また、畳表が畳芯材と一体化せず別体で固定されているため、畳表のみ取り外して容易に交換することができ、メンテナンス作業を簡単に行うことができる。
【００１０】
また、敷設面の端縁に配設されたカバー部材には、壁面に密着する帯状の被覆部が延設されているので、敷設面の端縁の隙間を被覆部で隠すことができるとともにカバー部材がずれるのを抑止することが可能となる。
【００１１】
また、敷設面の排水側の端縁に配設されたベース部材には、複数の排水孔が形成された帯状の排水部が上端に延設されているので、浴室等で使用した水が畳表を流れて排水側に行き排水孔からスムーズに排水されるようになる。
【発明を実施するための最良の形態】
【００１２】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１３】
図１は、本発明に係る実施形態を備えた浴室に関する外観斜視図であり、図２は、その分解斜視図である。この例では、浴室は、浴槽１及び洗い場２を備えており、周囲を壁面３により囲まれている。畳敷床構造１０は、洗い場２の全面に敷き詰められている。なお、図１及び２では、図面を見易くするために、手前側の壁面３は省略されている。
【００１４】
畳敷床構造１０は、洗い場２の敷設面の形状に合せて切断された平面視矩形状の６枚の畳芯材１１を敷き詰め、これらの畳芯材１１の形状に合せて切断された６枚の畳表１２がそれぞれ畳芯材１１の表面全体を覆うように設けられている。
【００１５】
畳芯材１１としては、耐水性のある合成樹脂材料が好適で、ある程度クッション性のある比較的硬質の発泡樹脂材料を用いるとよい。例えば、独立気泡型の発泡スチレン樹脂、発泡ウレタン樹脂、発泡ポリエチレン等のポリオレフィン系樹脂が好ましい。また、これらの発泡樹脂の特性を生かして複合的に組み合せて用いてもよい。図３は、畳芯材１１部分に関する一部拡大斜視図である。畳芯材１１の上面には、芳香剤、抗菌剤、脱臭剤等の錠剤１５を装填するための穴部１１ａが複数設けられている。また、畳芯材１１の両側面には、排水溝を形成するための断面Ｌ字状の側溝部材１４が配置されている。こうした側溝部材１４は、排水効率を向上するためのもので必要に応じて設ければよい。
【００１６】
畳表１２としては、耐水性のある合成繊維材料を織成したものを用いるとよい。例えば、太いマルチフィラメントを緯糸としてナイロン糸を経糸に用いて畳目に織り込んで筵地状に形成すると、外観上従来の畳表と遜色のない耐水性の畳表として使用することができる。この例では、畳芯材１１の形状に合せて予め裁断されており、上述するように固定するために両側端部が畳芯材１１よりも長くなるように設定されている。
【００１７】
洗い場２の敷設面には、畳芯材１１の周囲にその側面に沿ってベース部材１３が配設されている。ベース部材１３は、図４の一部拡大斜視図に示すように、断面逆Ｔ字状に形成されており、底の部分には所定幅の足部１３ａが全長にわたって帯状に設けられ、足部１３ａのほぼ中央部分に所定高さの壁部１３ｂが全長にわたって立設されている。壁部１３ｂには、中央部分が全長にわたって穿設されて係合溝１３ｃが形成されている。係合溝１３ｃの内側壁は、長手方向に複数の段差が形成されて断面形状が鋸状になっている。
【００１８】
図５は、排水路部分に用いるベース部材１３’に関する一部拡大斜視図である。この例では、洗い場２の敷設面において浴槽１の外側面に沿った端縁部分に配置されている。ベース部材１３’は、図４と同様に所定幅の足部１３ａ’が底の部分に全長にわたって形成されているが、壁部１３ｂ’が浴槽１側に寄せて全長にわたって立設されているため、浴槽１側には足部１３ａ’がわずかに突出するようになっている。壁部１３ｂ’の中央部分には全長にわたって係合溝１３ｃ’が形成されて図４に示す場合と同様に内側壁に複数の段差が形成されている。そして、壁部１３ｂ’の上端には、浴槽１側に突出するように帯状の排水部１３ｄ’が全長にわたって延設されており、排水部１３ｄ’には複数の排水孔１３ｅ’が穿設されている。
【００１９】
ベース部材１３の足部に周縁部を設置して支持された畳芯材１１の表面を畳表１２で被覆してカバー部材１６及び１６’で畳表１２を固定する。カバー部材１６は、図６の一部拡大斜視図に示すように、断面Ｔ字状に形成されており、全長にわたって帯状に形成された畳縁部１６ａの下面の中央部に全長にわたって係合部１６ｂが下方に突設されている。畳縁部１６ａの表面には従来の畳縁と同様のものを貼り付けておくとよい。
【００２０】
また、係合部１６ｂの両側壁には、長手方向に複数の段差が形成されており、その断面形状は鋸状になっている。そして、係合部１６ｂは、ベース部材１３の係合溝１３ｃに係合可能なように係合溝１３ｃの深さ及び溝幅とほぼ同じ長さ及び厚さに設定されており、両側壁に形成された複数の段差についても係合溝１３ｃの内側壁に形成された段差と噛み合うように形成されている。係合溝１３ｃの内側壁及び係合部１６ｂの両側壁の各段差は、断面形状が下から上に向かって拡がるようにテーパ状に形成されているため、係合部１６ｂを係合溝１３ｃに挿入する際には容易に挿し込めるが係合部１６ｂを取り外す際には容易に引き抜けないようになっている。
【００２１】
畳縁部１６ａの両側縁部には、段差が生じないように、先端の厚さを次第に薄くした柔軟性のある帯状のシート材を取り付けるようにしてもよい。
【００２２】
図７は、畳敷床構造の端縁部分において壁面３に当接するカバー部材１６’に関する一部拡大斜視図である。カバー部材１６’は、カバー部材１６と同様に畳縁部１６ａ’及び係合部１６ｂ’を備えているが、畳縁部１６ａ’は、壁面３の反対側の片側だけ形成されており、壁面３側には被覆部１６ｃ’が全長にわたって帯状に形成され上方にわずかに湾曲している。被覆部１６ｃ’は、可撓性のある材質からなり、その先端に行くに従い厚さが次第に薄くなるように形成されている。そのため、壁面３に被覆部１６ｃ’が当接すると、被覆部１６ｃ’が全長にわたって撓み、全体が壁面３に確実に密着するようになる。
【００２３】
図８は、図１のＡ−Ａ断面図を示しており、図９は、図１のＢ−Ｂ断面図を示している。図８に示すように、畳表１２の両端部は、カバー部材１６の係合部１６ｂとともにベース部材１３の係合溝１３ｃ内に挿入されており、係合溝１３ｃ及び係合部１６ｂの段差の噛み合わせに挟持されて固定されている。畳表１２の端部を固定する際には、予め係合溝１３ｃ内に端部を挿し込んでおき、係合部１６ｂを挿入するようにすればよい。係合部１６ｂが挿入される際に畳表１２の端部も引き込まれるため畳表１２をピンと張った状態に固定することができる。
【００２４】
また、ベース部材１３の足部１３ａに畳芯材１１の周縁部を配置してカバー部材１６を取り付けることで、ベース部材１３の足部１３ａとカバー部材１６の畳縁部１６ａにより畳芯材１１の周縁部が挟持されて固定されるようになる。
【００２５】
このように、ベース部材１３にカバー部材１６を取り付けることで、ワンタッチで畳芯材１１及び畳表１２を確実に固定することができる。そして、カバー部材１６の畳縁部１６ａが表出して畳芯材１１の境目及び畳表１２の端部を覆い隠すため、従来の畳敷床構造と同様の外観を呈するようになる。また、カバー部材１６の係合部１６ｂがベース部材１３の係合溝１３ｃに確実に挿着されてガタツキが生じることがなく、足を引っ掛けることもない。
【００２６】
また、畳芯材１１の側面には側溝部材１４が浴槽１に向かうように配置されており、側溝部材１４、ベース部材１３の壁部１３ｂ及びカバー部材１６の畳縁部１６ａにより囲まれる空間が形成されて排水路１７となる。したがって、洗い場２において流れる湯水は、畳表１２の表面から排水路１７に流れ込んでスムーズに排水されるようになり、畳表１２上に滞留することがない。排水路１７に流れ込んだ湯水は、浴槽１に向かって流れ、浴槽１側の端縁部分に設けられたベース部材１３’の壁部１３ｂ’に沿って流れて排水口２０へ誘導される。
【００２７】
浴槽１側の端縁部分に設けられたベース部材１３’には、排水部１３ｄ’が設けられており、その下方には浴槽１の側面に沿って空間が形成されて排水路１８となっている。そのため、浴槽１から溢れた湯水は、排水部１３ｄ’に穿設された排水孔１３ｅ’を通り、排水路１８から速やかに排水されるようになる。したがって、浴槽１から溢れた湯水が畳敷床構造１０に流れ込んで滞留することが防止される。排水路１８に流れ込んだ湯水は、ベース部材１３’の壁部１３ｂ’に穿設された切欠き部１９から排水口２０へ流れるようになる。
【００２８】
洗い場２での排水をさらに効果的に行う場合には、畳表１２及び畳芯材１１に小さい貫通孔を上下方向に多数穿設して湯水を下方に流れるようにすれば、畳芯材１１がベース部材１３の足部により敷設面との間に隙間が形成されているので、その隙間から速やかに排水されるようになる。
【００２９】
また、壁面３に対しては、端縁部分に設けられたカバー部材１６’の被覆部１６ｃ’が撓んで密着した状態になっているため、端縁部分の隙間が確実に覆い隠されるようになる。また、カバー部材１６’の被覆部１６ｃ’が撓んで密着しているので、カバー部材１６’が壁面３側にずれることはなく、人が畳敷床構造１０の上を歩行したりしても安定した状態に保たれるようになる。
【００３０】
図１０は、別の実施形態に関するベース部材２３（図１０（ｂ））及びカバー部材２６（図１０（ａ））の一部拡大斜視図であり、図１１は、ベース部材２３及びカバー部材２６を用いた畳敷床構造の一部拡大断面図である。
【００３１】
この例では、ベース部材２３の足部２３ａは、壁部２３ｂの片側だけに延設されており、壁部２３ｂには上述した係合溝１３ｃと同様の係合溝２３ｃが形成されている。また、カバー部材２６の畳縁部２６ａは、係合部２６ｂの片側だけに延設されており、係合部２６ｂは、上述した係合部２６ｂと同様の形状に形成されている。
【００３２】
こうしたベース部材２３及びカバー部材２６を用いる場合には、図１１に示すように、隣接する畳芯材１１にそれぞれベース部材２３を配設して各ベース部材２３の壁部２３ｂが互いに密着するように配列する。そして、各ベース部材２３の係合溝２３ｃに畳表１２の両端部とともにカバー部材２６の係合部２６ｂを圧入して畳表１２を固定する。
【００３３】
このようにベース部材２３及びカバー部材２６を畳芯材１１にそれぞれ装着することで、各畳芯材１１の周縁部にカバー部材２６の畳縁部２６ａが表出するようになり、従来の畳の外観にさらに類似した外観となってデザイン上も好ましいものとなる。
【００３４】
以上のように、畳芯材及び畳表を別体としてベース部材及びカバー部材により固定するようにしているので、簡単に畳敷床構造を組立てることができ、また、浴室の敷設面の形状にも容易に対応することが可能となる。そして、畳表が汚れた場合や傷んだ場合には、カバー部材を取り外して畳表のみ交換すればよく、メンテナンスも容易に行うことができ、またそのコストも畳全体を交換する場合に比べ格段に節減することが可能となる。
【図面の簡単な説明】
【００３５】
【図１】本発明に係る実施形態を備えた浴室に関する外観斜視図である。
【図２】図１の分解斜視図である。
【図３】畳芯材部分に関する一部拡大斜視図である。
【図４】ベース部材に関する一部拡大斜視図である。
【図５】別のベース部材に関する一部拡大斜視図である。
【図６】カバー部材に関する一部拡大斜視図である。
【図７】別のカバー部材に関する一部拡大斜視図である。
【図８】図１のＡ−Ａ断面図である。
【図９】図１のＢ−Ｂ断面図である。
【図１０】本発明に係る別の実施形態に関するベース部材及びカバー部材の一部拡大斜視図である。
【図１１】図１０のベース部材及びカバー部材を用いた畳敷床構造の一部拡大断面図である。
【符号の説明】
【００３６】
１    浴槽
２    洗い場
３    壁面
10    畳敷床構造
11    畳芯材
12    畳表
13    ベース部材
14    側溝部材
15    錠剤
16    カバー部材
17    排水路
18    排水路
19    切欠き部
20    排水口
23    ベース部材
26    カバー部材
【図１】
2007314967.tif 000003
【図２】
2007314967.tif 000004
【図３】
2007314967.tif 000005
【図４】
2007314967.tif 000006
【図５】
2007314967.tif 000007
【図６】
2007314967.tif 000008
【図７】
2007314967.tif 000009
【図８】
2007314967.tif 000010
【図９】
2007314967.tif 000011
【図１０】
2007314967.tif 000012
【図１１】
2007314967.tif 000013